(57)【要約】【課題】オーバーキャップやノズル筒を良好な衛生状態で維持することができる吐出容器を提供することを目的とする。【解決手段】内容物を収容する容器体２と、容器体２の口部２０の上方に配設されていると共に内容物を吐出する吐出口５０が設けられたノズル筒５と、ノズル筒５に脱着可能に被着されてノズル筒５を内側に収納するオーバーキャップ６と、を備える吐出容器１において、ノズル筒５、及びノズル筒５とオーバーキャップ６との間、のうちの少なくとも一方に、オーバーキャップ６の外部とオーバーキャップ６の内部とを連通させる通気口５５が形成されている。【選択図】図１
2011011762.tif 000002
【特許請求の範囲】
【請求項１】
内容物を収容する容器体と、該容器体の口部の上方に配設されていると共に前記内容物を吐出する吐出口が設けられたノズル筒と、該ノズル筒に脱着可能に被着されて該ノズル筒を内側に収納するオーバーキャップと、を備える吐出容器において、
前記ノズル筒、及び前記ノズル筒と前記オーバーキャップとの間、のうちの少なくとも一方に、前記オーバーキャップの外部とオーバーキャップの内部とを連通させる通気口が形成されていることを特徴とする吐出容器。
【請求項２】
請求項１に記載の吐出容器において、
前記吐出口が、前記ノズル筒の上端面に配設されており、
前記オーバーキャップの天壁部の下面に、前記吐出口を閉塞するシール凸部が突設されていることを特徴とする吐出容器。
【請求項３】
請求項２に記載の吐出容器において、
前記オーバーキャップが、弾性変形可能な軟質材からなり、
前記天壁部が、前記シール凸部を介して前記ノズル筒によって押圧されて軸方向上側に弾性変形していることを特徴とする吐出容器。  
【発明の詳細な説明】
【技術分野】
【０００１】
本発明は、内容物を吐出する吐出容器に関する。
【背景技術】
【０００２】
この種の吐出容器として、従来、例えば下記特許文献１に記載されているような、鼻腔に点鼻薬を塗布する点鼻容器が知られている。この吐出容器は、点鼻薬が収容された容器体と、その容器体の口部に装着されたノズル筒付きの装着キャップと、当該装着キャップに被着されて上記したノズル筒を覆うオーバーキャップと、が備えられている。上記したノズル筒は、上端部に吐出口が形成された有頂の筒体である。オーバーキャップは、有頂の筒体であり、その下端部が装着キャップに脱着可能に嵌合されている。
【０００３】
上記した吐出容器の使用方法としては、まず、オーバーキャップを取り外してノズル筒を露出させる。次に、ノズル筒の先端部を鼻腔に挿入する。次に、ノズル筒の上端の吐出口から点鼻薬を吐出させ、鼻腔内の患部に点鼻薬を塗布する。そして、使用後は、装着キャップにオーバーキャップを被着させてオーバーキャップでノズル筒を覆う。これにより、ノズル筒に埃などが付着することを防止することができる。
【０００４】
また、上記したオーバーキャップには、複数のスリットや孔からなる通気口が形成されている。詳しく説明すると、オーバーキャップの頂壁部に、円形や扇形の孔が形成されていると共に、オーバーキャップの周壁部に、縦方向に延在する複数のスリット開口が間隔をあけて全周に亘って配列されている。これにより、オーバーキャップの内部の通気性が向上するので、ノズル筒の表面が乾燥しやすくなる。
【先行技術文献】
【特許文献】
【０００５】
【特許文献１】特許第３４１３８０４号公報
【発明の概要】
【発明が解決しようとする課題】
【０００６】
しかしながら、上記した従来の吐出容器では、オーバーキャップの周壁部や天壁部に通気口が形成されているので、オーバーキャップの通気口に塵や手垢などが詰まりやすいという問題がある。このように通気口に塵等が詰まると、オーバーキャップが不衛生になるだけでなく、オーバーキャップ内への外気の流入が妨げられ、オーバーキャップの通気性が低下する。その結果、ノズル筒の表面が乾燥しにくくなり、ノズル筒の表面に雑菌が繁殖し易くなるという問題が生じる。
また、上記した従来の吐出容器では、外気と共に埃などがオーバーキャップの通気口を通ってオーバーキャップ内に入り込みやすいので、ノズル筒に埃などが付着しやすいという問題がある。
【０００７】
本発明は、上記した従来の問題が考慮されたものであり、オーバーキャップやノズル筒を良好な衛生状態で維持することができる吐出容器を提供することを目的としている。
【課題を解決するための手段】
【０００８】
本発明に係る吐出容器は、内容物を収容する容器体と、該容器体の口部の上方に配設されていると共に前記内容物を吐出する吐出口が設けられたノズル筒と、該ノズル筒に脱着可能に被着されて該ノズル筒を内側に収納するオーバーキャップと、を備える吐出容器において、前記ノズル筒、及び前記ノズル筒と前記オーバーキャップとの間、のうちの少なくとも一方に、前記オーバーキャップの外部とオーバーキャップの内部とを連通させる通気口が形成されていることを特徴としている。
【０００９】
このような特徴により、外気が通気口を通ってオーバーキャップ内に流入するので、オーバーキャップの内部の通気性が向上する。また、上記した通気口は、ノズル筒、及び／又はノズル筒とオーバーキャップとの間、に形成されているので、埃などが通気口を通ってオーバーキャップ内に入り込みにくく、且つ、通気口内に塵や手垢等が詰まりにくい。
【００１０】
また、本発明に係る吐出容器は、前記吐出口が、前記ノズル筒の上端面に配設されており、前記オーバーキャップの天壁部の下面に、前記吐出口を閉塞するシール凸部が突設されていることが好ましい。
【００１１】
これにより、吐出口がシール凸部によって閉塞されるので、吐出口から内容物が漏れ出すことが防止されると共に、吐出口が乾燥しにくくなる。
【００１２】
さらに、本発明に係る吐出容器は、前記オーバーキャップが、弾性変形可能な軟質材からなり、前記天壁部が、前記シール凸部を介して前記ノズル筒によって押圧されて軸方向上側に弾性変形していることが好ましい。
【００１３】
これにより、軟質材からなる天壁部の弾性力によってシール凸部が吐出口に押し当てられる。
【発明の効果】
【００１４】
本発明に係る吐出容器によれば、通気口を通ってオーバーキャップ内に外気が流入し、オーバーキャップの内部の通気性が向上するので、ノズル筒の表面が乾燥しやすくなる。その結果、ノズル筒の表面に雑菌が繁殖しにくくなり、ノズル筒を良好な衛生状態で維持することができる。
また、埃などが通気口を通って入り込みにくいので、ノズル筒の表面に埃などが付着することを防止することができ、ノズル筒を良好な衛生状態で維持することができる。
さらに、通気口内に塵や手垢等が詰まりにくいので、オーバーキャップを良好な衛生状態で維持することができると共に、オーバーキャップの内部の通気性を確実に維持することができ、ノズル筒を良好な衛生状態で維持することができる。
【図面の簡単な説明】
【００１５】
【図１】本発明の第１の実施の形態を説明するための吐出容器の破断図である。
【図２】図１に示すＡ−Ａ間の横断面図である。
【図３】本発明の第２の実施の形態を説明するための吐出容器の破断図である。
【図４】図３に示すＢ−Ｂ間の横断面図である。
【図５】図４に示すＣ−Ｃ間の縦断面図である。
【図６】本発明の実施の形態の変形例を説明するための吐出容器の破断図である。
【発明を実施するための形態】
【００１６】
以下、本発明に係る吐出容器の第１、第２の実施の形態について、図面に基づいて説明する。
【００１７】
［第１の実施の形態］
まず、本発明に係る吐出容器の第１の実施の形態について、図１、図２に基づいて説明する。
図１に示す鎖線Ｏは吐出容器１の中心軸線を示しており、以下「軸線Ｏ」と記す。また、本発明では、この軸線Ｏに沿った方向を「軸方向」とし、軸線Ｏに直交する方向を「径方向」とし、軸線Ｏ回りの方向を「周方向」とする。また、本実施の形態では、容器体２からみてノズル筒５側（図１における上側）を「上方」とし、その反対側（図１における下側）を「下方」とする。
【００１８】
図１に示すように、吐出容器１は、鼻腔に点鼻薬（本発明における内容物に相当する。）を塗布する点鼻器であり、後述するノズル筒５を鼻腔に挿入させてそのノズル筒５の吐出口５０から点鼻薬を噴射させて鼻腔内の患部に点鼻薬を塗布するスプレー容器である。吐出容器１の概略構成としては、点鼻薬を収容する容器体２と、容器体２の口部２０の内側から口部２０の上方に向けて上方付勢状態で突出された下方移動可能なステム３と、口部２０の内側に装着されたポンプ４と、ステム３の上端に連結されて口部２０の上方に配設されたノズル筒５と、ノズル筒５に脱着可能に被着されたオーバーキャップ６と、を備えている。
【００１９】
容器体２は、有底筒状のボトル容器であり、その概略構成としては、軸線Ｏを中心軸線にして軸方向に沿って延設された胴部２１と、胴部２１の下端を閉塞する図示せぬ底部と、胴部２１の上端に連設された肩部２２と、肩部２２の上端に連設された口部２０と、が備えられている。肩部２２は、胴部２１の上端から上方に向かうに従い漸次縮径されたテーパー状の壁部であり、その内縁（上端）に口部２０が立設されている。この口部２０の基端部（下端部）には、外径が縮径された括れ部２０ａが形成されている。
【００２０】
ポンプ４は、公知のポンプ機構であり、その概略構成としては、筒状のシリンダ４０の内側に、軸方向に摺動可能な図示せぬピストンと、そのピストンを上方に付勢する図示せぬスプリングとがそれぞれ収納された構成からなる。このポンプ４によれば、上記したピストンが押し下げられることで容器体２内の点鼻薬がシリンダ４０内を通って送り出される。また、上記したシリンダ４０の外周面には、径方向外側に突出したフランジ部４１が全周に亘って周設されている。このフランジ部４１は、円環板状のパッキン４２を介して口部２０の上端に載置されている。また、ポンプ４は、口部２０にカシメ固定されたカシメ金具４３によって口部２０に固定されている。このカシメ金具４３は、ポンプ４の上部（フランジ部４１よりも上方の部分）及び口部２０の外周面を被覆する金属板からなる金具である。このカシメ金具４３の下端部は、口部２０の括れ部２０ａにおいて加締められており、カシメ金具４３が口部２０とフランジ部４１とを上下から挟持することでフランジ部４１が口部２０に固定されている。
【００２１】
ステム３は、軸線Ｏを中心軸線にして軸方向に沿って延設された円筒形状の筒体である、ステム３の下部は、上記したシリンダ４０の内側に挿入されており、ステム３の上部は、シリンダ４０の上方に上向きに突出されている。また、ステム３は、シリンダ４０の内側に連通されていると共に、シリンダ４０に対して相対的に軸方向に移動可能に配設されている。また、ステム３は、上記した図示せぬピストンに連結されており、このピストンを介して上記した図示せぬスプリングによって上向きに付勢されている。
【００２２】
ノズル筒５は、口部２０の上方に配設された押し下げ可能な押下ヘッドであり、軸線Ｏを中心軸線にして軸方向に沿って延設されている。詳しく説明すると、ノズル筒５は、上記したステム３の上端部に連結された内筒部５４と、その内筒部５４の上端部に設けられた吐出口５０と、内筒部５４の外側に周設された外筒部５１と、外筒部５１の下端から径方向外側に突出されたフランジ部５２と、フランジ部５２の下面に垂設された下筒部５３と、を備えている。
【００２３】
上記した内筒部５４と外筒部５１とは軸線Ｏを共通軸にして同軸上に配設されており、内筒部５４の外周面と外筒部５１の内周面との間には全周に亘って隙間があけられている。また、外筒部５１は上方に向かうに従い漸次縮径されており、内筒部５４の上端部と外筒部５１の上端部とは一体的に連結されている。フランジ部５２は、図２に示すように平面視長方円形状の板部であり、軸線Ｏに対して略垂直に配設されている。下筒部５３は、上記したフランジ部５２の短手方向の直径と略同径の外径を有する円筒形状の筒部である。下筒部５３の下端面と上記したカシメ金具４３の上面との間には隙間があけられており、この下筒部５３は、ノズル筒５の押し下げ動作のストッパであり、下筒部５３の下端面がカシメ金具４３の上面に当接することでノズル筒５の押し下げ動作が係止される。吐出口５０は、ステム３から上記した内筒部５４の内側に供給された点鼻薬を噴出させる噴射口であり、軸方向上側に向けて配設されている。
【００２４】
また、図１、図２に示すように、ノズル筒５には、後述するオーバーキャップ６の外部とオーバーキャップ６の内部とを連通させる通気口５５が形成されている。詳しく説明すると、通気口５５は、ノズル筒５のフランジ部５２に形成された貫通孔であり、軸方向に沿って延設されている。また、フランジ部５２には、複数の通気口５５が形成されており、これら複数の通気口５５は、周方向に間隔をあけて均等に配列されている。また、通気口５５は、フランジ部５２の内周側の部分に配設されており、平面視において上記した下筒部５３の内側に配設されている。つまり、通気口５５の下端は、下筒部５３の内側に向けて開放されている。なお、下筒部５３の下端は開口されており、下筒部５３の内部は外部に連通されている。したがって、通気口５５は、下筒部５３の内部を介して外部に連通されている。一方、通気口５５の上端は、オーバーキャップ６の下端部の内側に向けて開放されている。
【００２５】
オーバーキャップ６は、ノズル筒５を内側に収納する有頂筒状のキャップ体であり、ノズル筒５に脱着可能に取り付けられている。このオーバーキャップ６は、例えばエラストマー樹脂やゴム等の軟質材からなり、その概略構成としては、ノズル筒５の上方に配設された平面視略円形の天壁部６０と、天壁部６０の外縁から垂下された周壁部６１と、周壁部６１の下端から径方向外側に突出したフランジ部６２と、を備えている。
【００２６】
周壁部６１は、ノズル筒５の外筒部５１の外周に周設された円筒形状の筒部であり、周壁部６１の内径はノズル筒５（外筒部５１）の外径よりも大径であり、周壁部６１の内周面とノズル筒５（外筒部５１）の外周面との間には全周に亘って隙間があけられている。また、周壁部６１の内周面には、半球状の凸部６３が複数突設されている。これら複数の凸部６３は、間隔をあけて周方向に配列されており、全周に亘って均等に配設されている。また、複数の凸部６３の各先端は、ノズル筒５（外筒部５１）の外周面にそれぞれ圧接されており、これにより、オーバーキャップ６はノズル筒５に嵌合されている。
【００２７】
オーバーキャップ６のフランジ部６２は、周壁部６１の下端部に沿って全周に亘って形成された環状の板部であり、ノズル筒５のフランジ部５２の上面に載置されている。オーバーキャップ６のフランジ部６２は、平面視円形（円環形状）を成しており、オーバーキャップ６のフランジ部６２の外径は、ノズル筒５のフランジ部５２の長手方向の外径と略同径（若干大径）で、ノズル筒５のフランジ部５２の短手方向の外径よりも大径になっている。すなわち、オーバーキャップ６のフランジ部６２は、ノズル筒５のフランジ部５２の短手方向の部分よりも径方向外側に突出されている。また、オーバーキャップ６のフランジ部６２の内周部分の下面には、段状に窪んでノズル筒５のフランジ部５２の上面から離間した段差部６４が、周壁部６１の内縁に沿って全周に亘って形成されている。この段差部６４の縁部は、ノズル筒５のフランジ部５２の短手方向の外縁よりも径方向内側に形成されている。また、上記した複数の通気口５５の上端は、段差部６４の内側に向けて開口されている。
【００２８】
次に、上記した構成からなる吐出容器１の作用について説明する。
【００２９】
上記した構成からなる吐出容器１では、図１に示すように、ノズル筒５にオーバーキャップ６を被着させた状態で保管される。これにより、オーバーキャップ６内にノズル筒５が収容され、ノズル筒５に埃などが付着することが防止される。このとき、外気が下筒部５３の下端から通気口５５を通ってオーバーキャップ６内に流入する。すなわち、外気は、まず、下端が開口された下筒部５３内に流入する。そして、その下筒部５３内に流入した外気は、通気口５５からオーバーキャップ６の段差部６４内を通ってオーバーキャップ６の周壁部６１内に流入する。これにより、ノズル筒５が収納されたオーバーキャップ６の内部の通気性が確保される。
【００３０】
また、上記した通気口５５は、ノズル筒５のフランジ部５２に形成され、下筒部５３内に向けて開口されているので、埃など通気口５５を通ってオーバーキャップ６内に入り込みにくく、また、通気口５５内に塵や手垢等が詰まりにくい。
【００３１】
一方、上記した構成からなる吐出容器１を使用する際には、まず、オーバーキャップ６をノズル筒５に対して相対的に引き上げてノズル筒５からオーバーキャップ６を取り外す。次に、ノズル筒５の先端を患部に向けて、ノズル筒５を容器体２に対して相対的に押し下げ、吐出口５０から点鼻薬を噴射させる。具体的に説明すると、容器体２を指等で支持し、ノズル筒５の先端を鼻腔に挿入する。続いて、ノズル筒５のフランジ部５２を指等で押し下げる。これにより、ノズル筒５と共にステム３が下降し、ポンプ４の図示せぬピストンが押し下げられる。その結果、容器体２内の点鼻薬がポンプ４のシリンダ４０内に流入し、シリンダ４０内からステム３内に供給され、ステム３からノズル筒５の内筒部５４を通ってノズル筒５の吐出口５０から噴射され、鼻腔の患部に点鼻薬が塗布される。
【００３２】
上記した吐出容器１によれば、通気口５５内を通ってオーバーキャップ６内に外気が流入し、オーバーキャップ６の内部の通気性が向上するので、オーバーキャップ６内のノズル筒５の表面が乾燥しやすくなる。その結果、ノズル筒５の表面に雑菌が繁殖しにくくなり、ノズル筒５を良好な衛生状態で維持することができる。
【００３３】
また、埃などが通気口５５を通ってオーバーキャップ６内に入り込みにくいので、ノズル筒５の表面に埃などが付着することを防止することができ、ノズル筒５を良好な衛生状態で維持することができる。
【００３４】
さらに、通気口５５内に塵や手垢等が詰まりにくいので、オーバーキャップ６を良好な衛生状態で維持することができると共に、オーバーキャップ６の内部の通気性を確実に維持することができ、ノズル筒５を良好な衛生状態で維持することができる。
【００３５】
［第２の実施の形態］
次に、本発明に係る吐出容器の第２の実施の形態について、図３から図５に基いて説明する。
なお、本実施の形態の説明では、上述した第１の実施の形態と同様の構成については同一の符号を付し、説明を省略する。
【００３６】
図３に示すように、ノズル筒５に被着されるオーバーキャップ１０６は、弾性変形可能な軟質材からなる有頂筒状のキャップ体である。前記した軟質材としては、例えばエラストマー樹脂やゴム等があり、抗菌剤が混入されていることが好ましい。このオーバーキャップ１０６の概略構成としては、ノズル筒５の上方に配設された平面視略円形の天壁部１６０と、天壁部１６０の外縁から垂下されてノズル筒５の外筒部５１の外周に周設された円筒形状の周壁部１６１と、周壁部１６１の下端から径方向外側に突出していると共に全周に亘って形成された円環板状のフランジ部１６２と、フランジ部１６２の外縁から垂下されてノズル筒５のフランジ部５２に嵌合される嵌合筒部１６３と、を備えている。
【００３７】
天壁部１６０の下面には、ノズル筒５の吐出口５０を閉塞するシール凸部１６５が突設されている。このシール凸部１６５は、ノズル筒５の上端面に密接されて吐出口５０を塞ぐ略半球状の凸部である。また、天壁部１６０は、シール凸部１６５を介してノズル筒５によって押圧されて軸方向上側に弾性変形している。すなわち、オーバーキャップ１０６がノズル筒５に被着されていない状態における天壁部１６０は、図３の二点鎖線で示すように平板状に形成されており、天壁部１６０の上下面は、軸線Ｏに対して垂直にそれぞれ形成されている。一方、オーバーキャップ１０６がノズル筒５に被着された状態における天壁部１６０は、ノズル筒５の上端面がシール凸部１６５を上向きに押圧することで、上側に向けて膨出し、縦断面視円弧状に弾性変形している。
【００３８】
嵌合筒部１６３は、軸線Ｏを中心軸線にして軸方向に沿って延設された円筒形状の筒部である。この嵌合筒部１６３の内側には、ノズル筒５のフランジ部５２が配置されており、嵌合筒部１６３は、ノズル筒５のフランジ部５２のうちの長手方向の部分にアンダーカット嵌合されている。一方、図４、図５に示すように、ノズル筒５のフランジ部５２の短手方向の外縁と嵌合筒部１６３の内周面との間には隙間があけられている。
【００３９】
また、上記したノズル筒５のフランジ部５２とオーバーキャップ１０６のフランジ部１６２との間には、オーバーキャップ１０６の外部とオーバーキャップ１０６の内部とを連通させる通気口１５５が形成されている。具体的に説明すると、図４、図５に示すように、オーバーキャップ１０６のフランジ部１６２の内周部分の下面には、段状に窪んだ段差部１６４が、周壁部１６１の内縁に沿って全周に亘って形成されている。この段差部１６４の縁部は、ノズル筒５のフランジ部５２の長手方向の外縁よりも径方向内側に形成されていると共にノズル筒５のフランジ部５２の短手方向の外縁よりも径方向外側に形成されており、段差部１６４は、ノズル筒５のフランジ部５２の短手方向の部分において、ノズル筒５のフランジ部５２の下方に向けて開口され、この開口部分が上記した通気口１５５となっている。つまり、通気口１５５は、ノズル筒５のフランジ部５２の短手方向の外縁とオーバーキャップ６の段差部１６４の縁部との間に形成されており、ノズル筒５のフランジ部５２に重ならずに下向きに露出されたオーバーキャップ１０６のフランジ部１６２の下面部分に配設されている。
なお、ノズル筒５のフランジ部５２には、上述した第１の実施の形態における通気口５５が形成されていない。
【００４０】
上記した吐出容器１によれば、外気がオーバーキャップ１０６のフランジ部１６２の下方から通気口１５５を通ってオーバーキャップ１０６内に流入する。すなわち、外気は、まず、オーバーキャップ１０６の嵌合筒部１６３とノズル筒５のフランジ部５２のうちの短手方向の外縁との間に流入し、そして、上記した通気口１５５からオーバーキャップ１０６の段差部１６４内を通ってオーバーキャップ１０６の周壁部１６１内に流入する。これにより、ノズル筒５が収納されたオーバーキャップ１０６の内部の通気性が確保され、オーバーキャップ１０６内のノズル筒５の表面が乾燥しやすくなり、ノズル筒５を良好な衛生状態で維持することができる。
【００４１】
また、上記した吐出容器１によれば、ノズル筒５にオーバーキャップ１０６が被着されると、吐出口５０がシール凸部１６５によって閉塞されるので、吐出口５０から点鼻薬が漏れ出すことを防止することができる。また、吐出口５０がシール凸部１６５によって閉塞されるので、オーバーキャップ１０６の内部が乾燥しやすくなっていても、吐出口５０が乾燥しにくくなる。これにより、吐出口５０に残留した点鼻薬が乾燥して固化するのを抑えることができ、吐出口５０の目詰りを防止することができる。
【００４２】
さらに、上記した吐出容器１によれば、オーバーキャップ１０６が、弾性変形可能な軟質材からなり、オーバーキャップ１０６の天壁部１６０が、シール凸部１６５を介してノズル筒５によって押圧されて軸方向上側に弾性変形しているので、軟質材からなる天壁部１６０の弾性力によってシール凸部１６５が吐出口５０に押し当てられる。これにより、シール凸部１６５によって吐出口５０を確実に密閉することができ、吐出口５０からの点鼻薬の漏出を確実に防止することができる。
【００４３】
以上、本発明に係る吐出容器の第１、第２の実施の形態について説明したが、本発明は上記した実施の形態に限定されるものではなく、その趣旨を逸脱しない範囲で適宜変更可能である。
例えば、上記した第１の実施の形態では、ノズル筒５のフランジ部５２に通気口５５が形成されているが、本発明は、ノズル筒５の外筒部５１に通気口を形成することも可能であり、さらに、図６に示すように、オーバーキャップ６のフランジ部６２とノズル筒５のフランジ部５２との間に通気口２５５を形成することも可能である。詳しく説明すると、オーバーキャップ６のフランジ部６２の内周部分の下面に形成された段差部２６４の縁部は、ノズル筒５のフランジ部５２の長手方向の外縁よりも径方向内側に形成されていると共にノズル筒５のフランジ部５２の短手方向の外縁よりも径方向外側に形成されており、段差部２６４は、ノズル筒５のフランジ部５２の短手方向の部分において、ノズル筒５のフランジ部５２の下方に向けて開口され、この開口部分が通気口２５５となっている。
また、本発明は、ノズル筒に切欠きを形成し、この切欠きによってオーバーキャップの内部の下端を開放させて通気口としてもよい。例えば、図３や図６に示す実施の形態において、ノズル筒５のフランジ部５２の長手方向の外周部に円弧状の切欠きを形成する。この切欠きは、平面視において、段差部１６４，２６４の縁部の径方向内側まで切り欠くと共に下筒部５３よりも径方向外側に形成する。これにより、切欠きの縁部と段差部１６４，２６４の縁部との間に、オーバーキャップ６の内部に連通する開口（通気口）が形成される。
また、上記した第２の実施の形態における構成において、ノズル筒５のフランジ部５２とオーバーキャップ１０６のフランジ部１６２との間に形成された通気口１５５に代えて、ノズル筒５のフランジ部５２や外筒部５１に通気口を形成することも可能である。
さらに、本発明は、ノズル筒５のフランジ部５２や外筒部５１に第一の通気口を形成すると共に、ノズル筒５のフランジ部５２とオーバーキャップ６，１０６のフランジ部６２，１６２との間に第二の通気口を形成することも可能である。
【００４４】
また、上記した実施の形態では、鼻腔内の患部に点鼻薬を塗布するための吐出容器１について説明しているが、本発明は他の用途のための吐出容器であってもよい。例えば、口腔内に薬剤を噴射させるための吐出容器であってもよい。
【００４５】
また、上記した実施の形態では、吐出口５０がノズル筒５の上端面に上向きに設けられ、また、ノズル筒５にフランジ部５２が設けられ、このフランジ部５２を指等で押し下げることでノズル筒５を下降させる構成となっているが、本発明は、ノズル筒の形状は適宜変更可能である。例えば、ノズル筒の上端部の側面に吐出口が形成され、吐出口が側方に向けて設けられた構成にすることも可能であり、或いは、ノズル筒の上端部の側面に筒状の吐出口が突設された構成にすることも可能である。また、ノズル筒の外周面に段差面が形成され、その段差面を指等で押し下げる構成であってもよく、或いは、ノズル筒の上端面に押下面が形成されていてもよい。
【００４６】
また、上記した実施の形態では、ノズル筒５を押し下げてステム３を下降させることで、容器体２内の点鼻薬がポンプ４によってステム３内に供給されて吐出口５０から吐出されるポンプ式の吐出容器１について説明しているが、本発明は、ポンプ式の吐出容器１に限定されるものではなく、上記したステム３やポンプ４を適宜省略することが可能である。例えば、本発明は、ポンプを有していないエアゾール式の吐出容器であってもよい。さらに、本発明は、容器体の胴部をスクイズ変形させることで吐出口から内容物を吐出させるスクイズボトル容器であってもよい。
【００４７】
その他、本発明の主旨を逸脱しない範囲で、上記した実施の形態における構成要素を周知の構成要素に置き換えることは適宜可能であり、また、上記した各実施の形態における構成要素を適宜組み合わせることも可能であり、また、上記した変形例を適宜組み合わせてもよい。
【符号の説明】
【００４８】
１  吐出容器
２  容器体
５  ノズル筒
６  オーバーキャップ
２０  口部
５０  吐出口
５５、１５５、２５５  通気口
１６０  天壁部
１６５  シール凸部
【図１】
2011011762.tif 000003
【図２】
2011011762.tif 000004
【図３】
2011011762.tif 000005
【図４】
2011011762.tif 000006
【図５】
2011011762.tif 000007
【図６】
2011011762.tif 000008